Podtech/llm-jp-corpus-v4-ja_patent huggingface dataset:
【手続補正書】
【提出日】平成23年12月13日(2011.12.13)
【手続補正１】
【補正対象書類名】特許請求の範囲
【補正対象項目名】全文
【補正方法】変更
【補正の内容】
【特許請求の範囲】
【請求項１】
化粧料組成物において、生理学的に許容される媒体中に、有効量の少なくとも１の半結晶性ポリウレタン／ポリエステルコポリマー、及び少なくとも１の染料物質を含み、該コポリマーは２０℃以上の融点を有する前記組成物。
【請求項２】
該コポリマーが、アルファ及びオメガ-ＯＨ末端を有する少なくとも１の結晶性又は半結晶性脂肪族ポリエステルと、少なくとも1の脂肪族、環状脂肪族又は芳香族のＣ３〜Ｃ５０のジイソシアネート誘導体との間の反応により得られるものである、請求項１に記載の組成物。
【請求項３】
該ジイソシアネート誘導体が、式
ＯＣＮ−Ｒ５−ＮＣＯ
で表わされ、Ｒ５は、アルキレン、アリーレン、シクロアルキレン、アルカリーレン又はアリールアルキレン基から選択された二価の基であり、該基は直鎖又は分岐状であり、１〜５０の炭素原子を含み、該基は少なくとも１の酸素、硫黄、及び／又は窒素原子を含んでいてもよいところの、請求項２に記載の組成物。
【請求項４】
該ジイソシアネート誘導体が、トルエンジイソシアネート（ＴＤＩ），４，４’−ジフェニルメタンジイソシアネート（ＭＤＩ），ナフタレンジイソシアネート、フェニレンジイソシアネート、キシレンジイソシアネート（ＸＤＩ）、テトラメチレンキシレンジイソシアネート（ＴＭＸＤＩ），イソホロンジイソシアネート（ＩＰＤＩ）、４，４’−ジシクロヘキシルメタンジイソシアネート（ＨＭＤＩ）及びヘキサメチレンジイソシアネート（ＨＤＩ）である、請求項２又は３に記載の組成物。
【請求項５】
前記コポリマーを形成するポリエステルブロックが、Ｃ１〜６のアルキル基で置換されている又は非置換のＣ３〜Ｃ２０のラクトンの重付加から得られたものである、請求項１〜４のいずれか１項に記載の組成物。
【請求項６】
前記コポリマーが、少なくとも１のポリカプロラクトンと少なくとも４，４’−ジフェニルメタンジイソシアネート（ＭＤＩ）又はイソホロンジイソシアネート（ＩＰＤＩ）との反応から誘導されたものである、請求項１〜５のいずれか１項に記載の組成物。
【請求項７】
該ポリエステルが、少なくとも１の直鎖、分岐状、又は環状の、Ｃ４〜５０の脂肪族二酸と、少なくとも１の直鎖の、置換された又は環状の、脂肪族Ｃ４〜Ｃ５０ジオールとの重縮合により得られたものである、請求項１〜４のいずれか１項に記載の組成物。
【請求項８】
１〜６０重量％の半結晶性ポリウレタン／ポリエステルコポリマーを含む、請求項１〜７のいずれか１項に記載の組成物。
【請求項９】
該組成物の合計重量に対して５〜９５重量％である水性相を含む、請求項１〜８のいずれか１項に記載の組成物。
【請求項１０】
請求項１〜９のいずれか1項に記載の化粧料組成物のケラチン繊維への施与を含む、ケラチン繊維をメイクアップするための又は非治療的にケアするための化粧方法において、該組成物が、その施与の前、同時、又は後に、前記組成物に含まれるコポリマーの融点以上の温度に加熱される前記方法。
【請求項１１】
メイクアップ及び／又はケア組成物のパッケージング及び施与のためのセット（１）において、
ｉ）収容容器（２）；
ｉｉ）該収容容器（３）の中に入れられたメイクアップ及び／又はケア組成物、前記組成物は生理学的に許容される媒体中に、有効量の少なくとも１の半結晶性ポリウレタン／ポリエステルコポリマーを含む；
ｉｉｉ）該メイクアップ及び／又はケア組成物を施与するためのデバイス（１０）；及び
ｉｖ）前記組成物を、その施与と同時に又はその後に、それが含む前記コポリマーの融点より高い温度にもたらすための加熱手段（５３）
を含む前記セット。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
非経口的投与に適した貯蔵安定性水性溶液の中での超短時間作用型β−アドレノ受容体拮抗物質及び／又はその製薬学的許容性の塩の安定性を増加させるための、シクロデキストリン及び／又は官能性シクロデキストリン誘導体の使用。
【請求項２】
本質的に、
ａ）超短時間作用型β−アドレノ受容体拮抗物質及び／又はその製薬学的許容性の塩、
ｂ）水
ｃ）シクロデキストリン及び／又は官能性シクロデキストリン−誘導体
から成る、貯蔵安定性の溶液の形の、超短時間作用型β−アドレノ受容体拮抗物質の非経口的投与のための医薬組成物。
【請求項３】
溶液のｐＨ値が３〜７．５、好ましくは５〜７である、請求項１又は２に記載の使用又は組成物。
【請求項４】
シクロデキストリン又はその官能性誘導体の濃度が０．１〜２０％（Ｗ／Ｖ）、好ましくは０．２５〜７％（Ｗ／Ｖ）、特に好ましくは０．５〜４％である、請求項１から３までのいずれか１項に記載の使用又は組成物。
【請求項５】
シクロデキストリン又はシクロデキストリン−誘導体が、α−シクロデキストリン、β−シクロデキストリン、γ−シクロデキストリン、その官能性誘導体及びこれらの混合物から成る群から選択される、請求項１から４までのいずれか１項に記載の使用又は組成物。
【請求項６】
シクロデキストリン−誘導体が、（２−ヒドロキシプロピル）−β−シクロデキストリン及び（スルホブチルエーテル）−７β−シクロデキストリンから成る群から選択される、請求項５に記載の使用又は組成物。
【請求項７】
超短時間作用型β−アドレノ受容体拮抗物質が、エスモロール、ランジオロール及びフレストロールから成る群から選択された作用物質である、請求項１から６までのいずれか１項に記載の使用又は組成物。
【請求項８】
超短時間作用型β−アドレノ受容体拮抗物質又はその塩の濃度が０．１〜３０％である、請求項１から７までのいずれか１項に記載の使用又は組成物。
【請求項９】
溶液が、２７０ｍｏｓｍｏｌ／ｌ〜３１０ｍｏｓｍｏｌ／ｌ、好ましくは２８０ｍｏｓｍｏｌ／ｌ〜３００ｍｏｓｍｏｌ／ｌの浸透圧モル濃度を示す、請求項１から８までのいずれか１項に記載の使用又は組成物。
【請求項１０】
組成物が、
１０〜２０ｍｇのエスモロール又はその塩を含有する１ｍｌ溶液、
１０〜１００ｍｇのエスモロール又はその塩を含有する２ｍｌ溶液、
５０〜５００ｍｇのエスモロール又はその塩を含有する５ｍｌ溶液、
５０〜５０００ｍｇ、特に２５００ｍｇのエスモロール又はその塩を含有する１０ｍｌ溶液、
５０〜５０００ｍｇのエスモロール又はその塩を含有する５０ｍｌ溶液、
５０〜５０００ｍｇエスモロール又はその塩を含有する１００ｍｌ溶液、
５０〜５０００ｍｇエスモロール又はその塩を含有する２５０ｍｌ溶液
から成る群から選択された販売単位の形である、請求項１から９までのいずれか１項に記載の使用又は組成物。
【請求項１１】
組成物が、
５〜２０ｍｇのランジオロール又はフレストロール又はその塩を含有する１ｍｌ溶液、
５〜１００ｍｇランジオロール又はフレストロール又はその塩を含有する２ｍｌ溶液、
１０〜５００ｍｇのランジオロール又はフレストロール又はその塩を含有する５ｍｌ溶液、
１０〜５０００ｍｇのランジオロール又はフレストロール又はその塩を含有する１０ｍｌ溶液、
２５〜２５００ｍｇのランジオロール又はフレストロール又はその塩を含有する２５ｍｌ溶液、
５０〜５０００ｍｇのランジオロール又はフレストロール又はその塩を含有する５０ｍｌ溶液、
５０〜５０００ｍｇのランジオロール又はフレストロール又はその塩を含有する１００ｍｌ溶液、
５０〜５０００ｍｇのランジオロール又はフレストロール又はその塩を含有する２５０ｍｌ溶液
から成る群から選択された販売単位の形である、請求項１から９までのいずれか１項に記載の使用又は組成物。
【請求項１２】
心房性細動、心房性粗動及び洞性頻脈を有する患者における、房室性頻脈及びＡＶ結節頻脈の際、頻脈性上心室性及び心室性不整脈の際、術前、術中及び術後並びに緊急の場合における頻脈及び／又は高血圧の際の心室頻度を減少させるための、術中の虚血を予防及び治療するための、不安定な狭心症及び急性心筋梗塞を治療するための医薬品を製造するための、請求項１から１１までのいずれか１項に記載の使用又は組成物。
【手続補正２】
【補正対象書類名】明細書
【補正対象項目名】０００６
【補正方法】変更
【補正の内容】
【０００６】
これに反して市販のランジオロールは、例えば現在のところそもそも固体の配合物中でのみ使用可能であるため、集中的治療薬中でのその使用前に、先ず溶解しなければならず、これは不必要な時間の損失を招きうる。ランジオロールを含有する凍結乾燥組成物は、CN 1827109Aから知られている。
【手続補正書】
【提出日】平成23年12月8日(2011.12.8)
【手続補正１】
【補正対象書類名】特許請求の範囲
【補正対象項目名】全文
【補正方法】変更
【補正の内容】
【特許請求の範囲】
【請求項１】
ヒト患者における黒色腫またはその転移を処置する方法において使用するためのアルファチモシンペプチドであって、該方法が、黒色腫を処置する有効な組み合わせを処置計画中のヒト黒色腫患者へ投与する工程を含む組み合わせ治療を含み、該組み合わせがアルファチモシンペプチドおよびキナーゼ阻害剤を含む、前記使用するためのアルファチモシンペプチド。
【請求項２】
ヒト患者における黒色腫またはその転移を処置する方法において使用するためのキナーゼ阻害剤であって、該方法が、黒色腫を処置する有効な組み合わせを処置計画中のヒト黒色腫患者へ投与する工程を含む組み合わせ治療を含み、該組み合わせがキナーゼ阻害剤およびアルファチモシンペプチドを含む、前記使用するためのキナーゼ阻害剤。
【請求項３】
キナーゼ阻害剤がソラフェニブを含む、請求項1記載の使用するためのアルファチモシンペプチド、または請求項2記載の使用するためのキナーゼ阻害剤。
【請求項４】
処置計画が複数の日を含み、アルファチモシンペプチドがチモシンアルファ1（TA1）を含み、かつTA1が約0.5〜10mg/日の範囲内の投薬量で処置計画の少なくとも一部分の間に患者に投与される、請求項1記載の使用するためのアルファチモシンペプチド、または請求項2記載の使用するためのキナーゼ阻害剤。
【請求項５】
投薬量が約1.5〜7mg/日、または約3〜7mg/日の範囲内にある、請求項4記載の使用するためのアルファチモシンペプチド、または使用するためのキナーゼ阻害剤。
【請求項６】
投薬量が約3.2mg/日、または約6.4mg/日のいずれかである、請求項4記載の使用するためのアルファチモシンペプチド、または使用するためのキナーゼ阻害剤。
【請求項７】
アルファチモシンペプチドがTA1であり、かつ、処置計画が、約1〜10日の期間のTA1の毎日投与、それに続く、約1〜5日間のTA1の非投与を含む、請求項1記載の使用するためのアルファチモシンペプチド、または請求項2記載の使用するためのキナーゼ阻害剤。
【請求項８】
TA1が約3〜5日間毎日投与され、その後、約2〜4日間のTA1の非投与が続く、またはTA1が約4日間毎日投与され、その後、約3日間のTA1の非投与が続く、請求項7記載の使用するためのアルファチモシンペプチド、または使用するためのキナーゼ阻害剤。
【請求項９】
キナーゼ阻害剤が約10〜2000mg/日の範囲内の投薬量で患者に投与される、請求項1記載の使用するためのアルファチモシンペプチド、または請求項2記載の使用するためのキナーゼ阻害剤。
【請求項１０】
キナーゼ阻害剤が約50〜800mg/日の投薬量で患者に投与される、請求項1記載の使用するためのアルファチモシンペプチド、または請求項2記載の使用するためのキナーゼ阻害剤。
【請求項１１】
組み合わせが、アルキル化抗悪性腫瘍剤（AlkAA）の投与をさらに含む、請求項1記載の使用するためのアルファチモシンペプチド、または請求項2記載の使用するためのキナーゼ阻害剤。
【請求項１２】
アルキル化抗悪性腫瘍剤（AlkAA）がダカルバジン（DTIC）を含む、請求項11記載の使用するためのアルファチモシンペプチド、または使用するためのキナーゼ阻害剤。
【請求項１３】
アルキル化抗悪性腫瘍剤（AlkAA）が約700〜1300mg/m2/日または約800〜1200mg/m2/日の範囲内の投薬量で患者に投与される、請求項11記載の使用するためのアルファチモシンペプチド、または使用するためのキナーゼ阻害剤。
【請求項１４】
アルファチモシンペプチドが、患者におけるキナーゼ阻害剤の毒性を低下させる、請求項1記載の使用するためのアルファチモシンペプチド、または請求項2記載の使用するためのキナーゼ阻害剤。
【請求項１５】
毒性が患者における体重減少を含む、請求項14記載の使用するためのアルファチモシンペプチド、または使用するためのキナーゼ阻害剤。
【手続補正２】
【補正対象書類名】明細書
【補正対象項目名】０００７
【補正方法】変更
【補正の内容】
【０００７】
本発明により、アルファチモシンペプチドおよびキナーゼ阻害剤を含む、黒色腫を処置する組み合わせを、処置計画中のヒト黒色腫患者へ投与する工程を含む組み合わせ治療において、ヒト患者における黒色腫またはその転移を処置する方法。
[本発明1001]
黒色腫を処置する有効な組み合わせを処置計画中のヒト黒色腫患者へ投与する工程を含む組み合わせ治療においてヒト患者における黒色腫またはその転移を処置する方法であって、組み合わせが、アルファチモシンペプチドおよびキナーゼ阻害剤を含む、方法。
[本発明1002]
キナーゼ阻害剤がソラフェニブを含む、本発明1001の方法。
[本発明1003]
処置計画が複数の日を含み、アルファチモシンペプチドがチモシンアルファ1（TA1）を含み、かつTA1が約0.5〜10mg/日の範囲内の投薬量で処置計画の少なくとも一部分の間に患者に投与される、本発明1001の方法。
[本発明1004]
投薬量が約1.5〜7mg/日の範囲内にある、本発明1003の方法。
[本発明1005]
投薬量が約3〜7mg/日の範囲内にある、本発明1003の方法。
[本発明1006]
投薬量が約3.2mg/日である、本発明1003の方法。
[本発明1007]
投薬量が約6.4mg/日である、本発明1003の方法。
[本発明1008]
アルファチモシンペプチドがTA1であり、かつ、処置計画が、約1〜10日の期間のTA1の毎日投与、それに続く、約1〜5日間のTA1の非投与を含む、本発明1001の方法。
[本発明1009]
TA1が約3〜5日間毎日投与され、その後、約2〜4日間のTA1の非投与が続く、本発明1008の方法。
[本発明1010]
TA1が約4日間毎日投与され、その後、約3日間のTA1の非投与が続く、本発明1008の方法。
[本発明1011]
キナーゼ阻害剤が約10〜2000mg/日の範囲内の投薬量で患者に投与される、本発明1001の方法。
[本発明1012]
キナーゼ阻害剤が約50〜800mg/日の投薬量で患者に投与される、本発明1001の方法。
[本発明1013]
組み合わせが、アルキル化抗悪性腫瘍剤（AlkAA）の投与をさらに含む、本発明1001の方法。
[本発明1014]
アルキル化抗悪性腫瘍剤（AlkAA）がダカルバジン（DTIC）を含む、本発明1013の方法。
[本発明1015]
アルキル化抗悪性腫瘍剤（AlkAA）が約700〜1300mg/m2/日の範囲内の投薬量で患者に投与される、本発明1013の方法。
[本発明1016]
アルキル化抗悪性腫瘍剤（AlkAA）が約800〜1200mg/m2/日の範囲内の投薬量で患者に投与される、本発明1013の方法。
[本発明1017]
アルファチモシンペプチドが、患者におけるキナーゼ阻害剤の毒性を低下させる、本発明1001の方法。
[本発明1018]
毒性が患者における体重減少を含む、本発明1017の方法。
【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
鉄分及びペプチドを含む組成物であって： 
（ａ）前記ペプチドが、酵素加水分解される魚のタンパク由来であり； 
（ｂ）前記組成物が、ヒト又は動物による摂取に適しており； 
（ｃ）前記ペプチドが、前記組成物の５０％よりも多く； 
（ｄ）前記ペプチドが、動物又はヒトによって摂取された場合に、前記鉄分の吸収を促進することを特徴とする組成物。 
【請求項２】
前記ペプチドの分子量が、３５００ダルトン以下であることを特徴とする請求項１に記載の組成物。 
【請求項３】
前記鉄分が、前記組成物の０．０１％よりも多いことを特徴とする請求項１又は２に記載の組成物。 
【請求項４】
さらに、魚油を含むことを特徴とする請求項１乃至３のいずれか１項に記載の組成物。
【請求項５】
前記魚がサケであることを特徴とする請求項１乃至４のいずれか１項に記載の組成物。
【請求項６】
前記組成物が、飼料添加物の栄養補助食品であることを特徴とする請求項１乃至５のいずれか１項に記載の組成物。 
【請求項７】
前記鉄分の乾燥重量が、前記組成物の乾燥重量キログラム当たり１００ミリグラムよりも高いことを特徴とする請求項１乃至６のいずれか１項に記載の組成物。 
【請求項８】
前記ペプチドの５０％未満が、前記鉄分とキレート化されることを特徴とする請求項１乃至７のいずれか１項に記載の組成物。 
【請求項９】
前記ペプチドの乾燥重量が、前記組成物の乾燥重量キログラム当たり８００グラムよりも多いことを特徴とする請求項１乃至８のいずれか１項に記載の組成物。 
【請求項１０】
前記ペプチドが、カロリーベース又は乾燥重量ベースで前記組成物の５０％よりも多いことを特徴とする請求項１乃至９のいずれか１項に記載の組成物。
【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
グリセリンの水素化の粗生成物流体からヒドロキシプロパノン及び２，４−ジメチル−２−メタノール−１，３−ジオキソランを除去するためのプロセスであって、
粗生成物流体は、１，２−プロパンジオールと、不純物であるヒドロキシプロパノン及び２，４−ジメチル−２−メタノール−１，３−ジオキソランとを含み、
（ａ）必要とされる場合、前記粗生成物流体を凝縮するステップと、
（ｂ）前記粗生成物流体中に存在するヒドロキシプロパノンを所望のプロパンジオールに転化させ、ガスクロマトグラフィーで測定したときに、２，４−ジメチル−２−メタノール−１，３−ジオキソランの含有量が約２０ｐｐｍ〜約６０ｐｐｍに低減するように、不均一系触媒の存在下、適当な温度および圧力で、液相である前記粗生成物相を水素含有ガス流体と接触させるステップと
を有するプロセス。
【請求項２】
前記粗生成物流体が、前記グリセリンの気相水素化で得られるものである、請求項１に記載のプロセス。
【請求項３】
前記水素含有ガスの圧力が、約５バールｇ〜約４５バールｇである、請求項１または２に記載のプロセス。
【請求項４】
前記凝縮した粗生成物を前記水素含有ガスと接触させる温度が、約２０℃〜約２００℃である、請求項１〜３のいずれかに記載のプロセス。
【請求項５】
前記凝縮した粗生成物を前記水素含有ガスと接触させる温度が、約５０℃〜約１３０℃である、請求項１〜３のいずれかに記載のプロセス。
【請求項６】
前記液状生成物流体が、水素に曝され、約０．１ｈｒ−１〜約１０ｈｒ−１の範囲の液空間速度で、加熱した水素化領域に通される、請求項１〜５のいずれかに記載のプロセス。
【請求項７】
前記液状生成物流体が、水素に曝され、約０．２ｈｒ−１〜約５ｈｒ−１の範囲の液空間速度で、加熱した水素化領域に通される、請求項１〜５のいずれかに記載のプロセス。
【請求項８】
前記水素含有ガスが、ＧＨＳＶが約１００ｈｒ−１〜約２５０ｈｒ−１の範囲の流量で供給される、請求項１〜７のいずれかに記載のプロセス。
【請求項９】
前記触媒が、ニッケル、ニッケル球、カーボン上のルテニウム、ニッケル上のルテニウム、コバルトおよび銅をベースとした触媒から選択される、請求項１〜８のいずれかに記載のプロセス。
【請求項１０】
グリセリンを水素化するためのプロセスであって、
（ａ）グリセリンを含む供給原料を、触媒の存在下、水素化して、粗生成物流体を生成するステップと、
（ｂ）前記粗生成物流体を請求項１〜９のいずれかに記載のプロセスにかけるステップと
を有するプロセス。
【請求項１１】
前記グリセリンを含む供給原料が、気相で水素化される、請求項１０に記載のプロセス。
【請求項１２】
前記ステップ（ａ）のプロセスが、気相中、触媒の存在下、温度が約１６０℃から約２６０℃、圧力が約１０バールから約３０バール、水素とグリセリンの比率が４００：１から約６００：１、滞留時間が約０．０１秒から約２．５秒で、グリセリンを含む供給原料を水素含有ガス流体と接触させて、前記流体を水素化させるステップを含む、請求項１０に記載のプロセス。
【請求項１３】
前記ステップ（ａ）のプロセスが、
（ｉ）最初の気化領域に供給原料材料を含む流体を供給し、水素を含む循環ガスに前記供給原料を接触させて、供給原料の少なくとも一部を循環ガスによって、循環ガス中に気化させるステップと；
（ｉｉ）少なくとも一部の循環ガスおよび気化した供給原料材料を、触媒を含む最初の反応領域に供給し、水素化と脱水が起こり得る反応条件下で操作して、大部分のグリセリンを転化するステップと；
（ｉｉｉ）最初の反応領域から、循環ガスと、少量の未転化のグリセリンと、所望の生成物とを含む中間生成物流体を回収するステップと；
（ｉｖ）前の反応領域から最後の気化領域に中間生成物流体を供給し、それを追加の供給原料材料に接触させて、前の気化領域で気化したものとほぼ同量のグリセリンを中間生成物流体によって、中間生成物流体中に気化させるステップと；
（ｖ）ステップ（ｉｖ）からの流体を、触媒を含む最後の反応領域に供給するステップと
を含む、請求項１０に記載のプロセス。
【手続補正２】
【補正対象書類名】明細書
【補正対象項目名】００１５
【補正方法】変更
【補正の内容】
【００１５】
グリセリンの気相水素化で得られる気相水素化粗生成物流体を、不均一系触媒の存在下、適当な反応条件下で、液相水素化の間、通すと、アセトールおよびその好ましくない生成物の量を実質的にゼロにまで低減させ、その結果、通常の蒸留方法を用いて、非常に高純度の１，２−プロパンジオールを得ることが可能になることが見出された。
【手続補正３】
【補正対象書類名】明細書
【補正対象項目名】００１６
【補正方法】変更
【補正の内容】
【００１６】
したがって、本発明によれば、グリセリンの水素化の粗生成物流体からヒドロキシプロパノン及び２，４−ジメチル−２−メタノール−１，３−ジオキソランを除去するためのプロセスであって、
粗生成物流体は、１，２−プロパンジオールと、不純物であるヒドロキシプロパノン及び２，４−ジメチル−２−メタノール−１，３−ジオキソランとを含み、
（ａ）必要とされる場合、前記粗生成物流体を凝縮するステップと、
（ｂ）前記粗生成物流体中に存在するヒドロキシプロパノン及び２，４−ジメチル−２−メタノール−１，３−ジオキソランを所望のプロパンジオールに転化させるように、不均一系触媒の存在下、適当な温度および圧力で、液相である前記粗生成物相を水素含有ガス流体と接触させるステップと
を有するプロセスが提供される。
【手続補正４】
【補正対象書類名】明細書
【補正対象項目名】００２３
【補正方法】変更
【補正の内容】
【００２３】
この水素ガスは、任意の適当な流量で供給されることができるが、ＧＨＳＶが約１００ｈｒ−１〜約２５０ｈｒ−１の範囲が特に好ましい。
【手続補正５】
【補正対象書類名】明細書
【補正対象項目名】００２９
【補正方法】変更
【補正の内容】
【００２９】
ステップ（ａ）のプロセスは、任意の適当な態様であることができ、国際公開第２００７／０１０２９９号、同２００８／０１２２４４号、同２００５／０９５５３６号または同２００７／０５３７０５号パンフレットのいずれかに記載されたプロセスであることができる。これらの公報は参照により本明細書に組み込まれる。
【手続補正書】
【提出日】平成23年12月5日(2011.12.5)
【手続補正１】
【補正対象書類名】明細書
【補正対象項目名】００７７
【補正方法】変更
【補正の内容】
【００７７】
利益、他の利点、および問題の解決策は、具体的な実施形態に関して上に記載されてきた。しかしながら、利益、利点、問題の解決策、および任意の利益、利点、または想到されるかもしくはより顕著になるための解決策をもたらすかもしれないいかなる特徴も、特許請求の範囲のいずれかまたは全ての決定的に重要な、必要な、または本質的な特徴と解釈されるべきではない。
ある種の特徴は、明確にするために、別個の実施形態との関連で本明細書に記載されており、単一実施形態で組み合わせて提供されてもよいことが理解されるべきである。逆に、簡潔にするために、単一実施形態との関連で記載される様々な特徴はまた、別々にまたは任意の副次的組み合わせで提供されてもよい。さらに、範囲で記載される値の言及には、当該範囲内のそれぞれのおよびあらゆる値が含まれる。
【手続補正２】
【補正対象書類名】明細書
【補正対象項目名】００７８
【補正方法】変更
【補正の内容】
【００７８】
以上、本発明を要約すると下記のとおりです。
１．脱ハロゲン化触媒の存在下にＣＦ３ＣＦ２ＣＣｌ２ＣＦ２ＣＦ３（ＣＦＣ−４１−１０ｍｃａ）を水素と反応させてＣＦ３ＣＦ２ＣＣｌ＝ＣＦＣＦ３（ＣＦＣ−１４１９ｍｙｘ）を製造する工程を含む方法。
２．脱ハロゲン化触媒の存在下にＣＦ３ＣＦ２ＣＣｌ＝ＣＦＣＦ３（ＣＦＣ−１４１９ｍｙｘ）を水素と反応させてＣＦ３ＣＦ２Ｃ≡ＣＣＦ３（オクタフルオロ−２−ペンチン）を製造する工程を含む方法。
３．脱ハロゲン化触媒の存在下にＣＦ３ＣＦ２ＣＣｌ＝ＣＦＣＦ３（ＣＦＣ−１４１９ｍｙｘ）を水素と反応させてＣＦ３ＣＦ２Ｃ≡ＣＣＦ３（オクタフルオロ−２−ペンチン）を製造する工程をさらに含む、上記１に記載の方法。
４．脱ハロゲン化触媒の存在下にＣＦ３ＣＦ２ＣＣｌ２ＣＦ２ＣＦ３（ＣＦＣ−４１−１０ｍｃａ）を水素と反応させてＣＦ３ＣＦ２Ｃ≡ＣＣＦ３（オクタフルオロ−２−ペンチン）を製造する工程を含む方法。
５．圧力容器で、ＣＦ３ＣＦ２Ｃ≡ＣＣＦ３を水素化触媒と反応させてＣＦ３ＣＦ２ＣＨ
＝ＣＨＣＦ３（１，１，１，４，４，５，５，５−オクタフルオロ−２−ペンテン）を製造する工程をさらに含む、上記２〜４のいずれかに記載の方法。
６．水素化触媒がリンドラー触媒を含む、上記５に記載の方法。
７．ＣＦ３ＣＦ２ＣＣｌ＝ＣＦＣＦ３（ＣＦＣ−１４１９ｍｙｘ）が触媒の存在下にＣＦ２Ｃｌ２（ＣＦＣ−１２）とＣＦ２＝ＣＦ２（テトラフルオロエチレン）との付加反応によって製造される、上記１に記載の方法。
８．触媒がハロゲン化アルミニウム触媒である、上記７に記載の方法。
【手続補正３】
【補正対象書類名】特許請求の範囲
【補正対象項目名】全文
【補正方法】変更
【補正の内容】
【特許請求の範囲】
【請求項１】
脱ハロゲン化触媒の存在下にＣＦ３ＣＦ２ＣＣｌ２ＣＦ２ＣＦ３（ＣＦＣ−４１−１０ｍｃａ）を水素と反応させてＣＦ３ＣＦ２ＣＣｌ＝ＣＦＣＦ３（ＣＦＣ−１４１９ｍｙｘ）を製造する工程を含む方法。
【請求項２】
脱ハロゲン化触媒の存在下にＣＦ３ＣＦ２ＣＣｌ＝ＣＦＣＦ３（ＣＦＣ−１４１９ｍｙｘ）を水素と反応させてＣＦ３ＣＦ２Ｃ≡ＣＣＦ３（オクタフルオロ−２−ペンチン）を製造する工程を含む方法。
【請求項３】
脱ハロゲン化触媒の存在下にＣＦ３ＣＦ２ＣＣｌ２ＣＦ２ＣＦ３（ＣＦＣ−４１−１０ｍｃａ）を水素と反応させてＣＦ３ＣＦ２Ｃ≡ＣＣＦ３（オクタフルオロ−２−ペンチン）を製造する工程を含む方法。
【誤訳訂正書】
【提出日】平成23年11月17日(2011.11.17)
【誤訳訂正１】
【訂正対象書類名】特許請求の範囲
【訂正対象項目名】請求項１
【訂正方法】変更
【訂正の内容】
【請求項１】
０．５質量％〜３０質量％の親水性で、構造改質され、随意に再粉砕されたフュームドシリカを含有することを特徴とする被覆系。
【誤訳訂正２】
【訂正対象書類名】明細書
【訂正対象項目名】０００５
【訂正方法】変更
【訂正の内容】
【０００５】
被膜材料が、比較的高い引っかき耐性の他に、不所望のヘイズまたは不所望のフロスティングの少なさを示すことを特徴とする被覆材料の調製のために、構造改質され（structually modified）シラン処理されたシリカおよび溶剤を含むことを特徴とするフュームドシリカの分散液を使用することもまた公知である（ＷＯ２００７／１２８６３６号）。
【誤訳訂正３】
【訂正対象書類名】明細書
【訂正対象項目名】０００８
【訂正方法】変更
【訂正の内容】
【０００８】
本発明は、０．５質量％〜３０質量％の親水性で、構造改質され、且つ随意に再粉砕されたフュームドシリカを含有することを特徴とする被覆系を提供する。
【誤訳訂正４】
【訂正対象書類名】明細書
【訂正対象項目名】００１３
【訂正方法】変更
【訂正の内容】
【００１３】
本発明によって使用される再粉砕される構造改質されたシリカは、６０μｍ以下、好ましくは４０μｍ以下のグラインドメーター値を有することができる。
【誤訳訂正５】
【訂正対象書類名】明細書
【訂正対象項目名】００１５
【訂正方法】変更
【訂正の内容】
【００１５】
本発明によって使用される親水性フュームドシリカの製造方法は、親水性フュームドシリカを構造改質し、且つ、随意に再粉砕することによって特徴付けられる。
【誤訳訂正６】
【訂正対象書類名】明細書
【訂正対象項目名】００１８
【訂正方法】変更
【訂正の内容】
【００１８】
該構造改質は、グラインドメーター値（限界粒径）を上昇させる。しかしながら、増加したグラインドメーター値は再粉砕の間に再度低下する。
【誤訳訂正７】
【訂正対象書類名】明細書
【訂正対象項目名】００２２
【訂正方法】変更
【訂正の内容】
【００２２】
再粉砕は、粒径分布をより小さい粒子のほうへシフトさせ、グラインドメーター値を減少させる。
【誤訳訂正８】
【訂正対象書類名】明細書
【訂正対象項目名】００２３
【訂正方法】変更
【訂正の内容】
【００２３】
構造改質後に残っているフュームドシリカの構造は、再粉砕によって悪影響を受けない。
【誤訳訂正９】
【訂正対象書類名】明細書
【訂正対象項目名】００２４
【訂正方法】変更
【訂正の内容】
【００２４】
再粉砕は事実上、構造改質されたフュームドシリカの性能特性に影響を及ぼさない。なぜなら、再粉砕へのエネルギーの投入はボールミル内よりも低いからである。
【誤訳訂正１０】
【訂正対象書類名】明細書
【訂正対象項目名】００２５
【訂正方法】変更
【訂正の内容】
【００２５】
再粉砕のために、例えば、以下の装置を使用することが可能である：エアジェットミル、歯付ディスクミル、またはピン付きディスクミル。より好ましくは、エアジェットミルが使用される。
【誤訳訂正１１】
【訂正対象書類名】明細書
【訂正対象項目名】００２６
【訂正方法】変更
【訂正の内容】
【００２６】
構造改質および／または再粉砕の後、熱処理を実施してよい。この熱処理をバッチ式で、例えば乾燥キャビネット内で、あるいは連続的に、例えば流動床または流動層内で行ってよい。
【誤訳訂正１２】
【訂正対象書類名】明細書
【訂正対象項目名】００３１
【訂正方法】変更
【訂正の内容】
【００３１】
実施例
親水性フュームドシリカＡｅｒｏｓｉｌ（登録商標）２００および親水性フュームドシリカＡｅｒｏｓｉｌ（登録商標）３００を、ボールミルを使用して構造改質する。この場合、表２に示されるように、水を添加し、且つ再粉砕を実施する。
【誤訳訂正１３】
【訂正対象書類名】明細書
【訂正対象項目名】００３４
【訂正方法】変更
【訂正の内容】
【００３４】
【表２】
2011506657.tif 000001
【誤訳訂正１４】
【訂正対象書類名】明細書
【訂正対象項目名】００３６
【訂正方法】変更
【訂正の内容】
【００３６】
様々な物理化学的データを使用して、表３は構造改質および再粉砕が親水性フュームドシリカＡＥＲＯＳＩＬ(登録商標)２００およびＡＥＲＯＳＩＬ(登録商標)３００に及ぼす影響を示す。
【誤訳訂正１５】
【訂正対象書類名】明細書
【訂正対象項目名】００３７
【訂正方法】変更
【訂正の内容】
【００３７】
未処理の状態のＡＥＲＯＳＩＬ(登録商標)２００は表面積２０２ｍ2／ｇを有している。これは構造改質および再粉砕によって影響または変更されない（比較例１および同様に実施例１〜６を参照）。
【誤訳訂正１６】
【訂正対象書類名】明細書
【訂正対象項目名】００３８
【訂正方法】変更
【訂正の内容】
【００３８】
構造改質の結果として突き固め密度が増加する。しかしながら、引き続きの再粉砕が突き固め密度を再度低下させる（実施例５および６を参照）。
【誤訳訂正１７】
【訂正対象書類名】明細書
【訂正対象項目名】００３９
【訂正方法】変更
【訂正の内容】
【００３９】
ＤＢＰ数は構造改質によって低下する。しかしながら、それは再粉砕によっては影響されないままである。
【誤訳訂正１８】
【訂正対象書類名】明細書
【訂正対象項目名】００４０
【訂正方法】変更
【訂正の内容】
【００４０】
グラインドメーター値は構造改質によって上昇し、且つ、再粉砕のためにエアジェットミルが使用された場合、再粉砕によって元の値に戻る。
【誤訳訂正１９】
【訂正対象書類名】明細書
【訂正対象項目名】００４１
【訂正方法】変更
【訂正の内容】
【００４１】
親水性フュームドシリカの増粘効果は、構造改質によって著しく低下するが、しかし、再粉砕の結果として幾分か増加する。
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
一般式（Ｉａ）、（Ｉｂ）若しくは（Ｉｃ）、
【化１】
2011506660.tif 000001
［式中、
Ｒ1とＲ2は相互に独立して、同一であるか又は異なって、フェニレン、ナフチレン、ピリジレン、
【化２】
2011506660.tif 000002
であり、この際、Ｒ1とＲ2はそれぞれ一回又は複数回、Ｃ1〜Ｃ22−アルキル、Ｃ3〜Ｃ22−アルケニル、Ｃ1〜Ｃ22−アルコキシ、ヒドロキシ、ニトロ、及び／又はハロゲンによって置換されていてよく、
Ｒ3とＲ4は相互に独立して、同一であるか又は異なって、水素、Ｃ1〜Ｃ22−アルキル、アリール、Ｃ1〜Ｃ22−アラルキル、
【化３】
2011506660.tif 000003
であり、この際、Ｒ3とＲ4はそれぞれ、一回又は複数回、Ｃ1〜Ｃ22−アルキル、Ｃ1〜Ｃ22−アルコキシ、ヒドロキシ、ニトロ、及び／又はハロゲンによって置換されていてよく、
ｘは相互に独立して、同一であるか又は異なって、ハロゲンであり、
ｎ、ｐは相互に独立して、０、１、２、３、又は４であり、
ｍは０、１、２、３、又は４である］
の着色剤、又はこれらの混合物の製造方法であって、この際、
（ａ）テトラカルボン酸、又は反応条件下でアミン若しくはジアミンと反応して式Ｉａ〜Ｉｃの着色剤を形成することができるテトラカルボン酸の官能性誘導体を、
（ｂ）ｉ．脂肪族アミン、
ｉｉ．芳香族アミン、
ｉｉｉ．脂肪族ジアミン、
ｉｖ．芳香族ジアミン
ｖ．アンモニア
から選択される少なくとも１つの化合物と、
（ｃ）選択的にさらなる添加剤の存在下で、
（ｄ）選択的に湿潤剤の存在下で
反応させ、
かつこの際、前記反応を混合装置内で行い、そして付加的な工程で、生成した粗顔料を同じ装置内でさらに加工する、製造方法。
【請求項２】
前記混合装置が、混練型の反応器、単数部材又は複数部材／単軸又は複軸の混練機、押出機、パドル式乾燥機、混合機、又は粉砕機に相応する、請求項１に記載の方法。
【請求項３】
さらなる加工を塩混練によって行う、請求項１又は２に記載の方法。
【請求項４】
さらなる加工を添加剤の存在下で行う、請求項１から３までのいずれか１項に記載の方法。
【請求項５】
前記反応を、付加的に湿潤剤の存在下、又は湿潤剤混合物の存在下で行う、請求項１から４までのいずれか１項に記載の方法。
【請求項６】
Ｒ1とＲ2が同一であり、かつ非置換のフェニレン又はナフチレンに相応する、請求項１から５までのいずれか１項に記載の方法。
【請求項７】
Ｒ3とＲ4が同一であり、かつアルコキシフェニル、メチル、プロピル、２，４−ジメチルフェニル、水素、又は
【化４】
2011506660.tif 000004
に相応する、請求項１から６までのいずれか１項に記載の方法。
【請求項８】
天然由来及び合成由来の、高分子性有機材料及び無機材料を着色するための、請求項１から７までのいずれか１項に従って製造される着色剤の使用。
【請求項９】
プラスチック、塗料、又は印刷インキを着色するための、請求項１から７までのいずれか１項に従って製造される着色剤の使用。
【手続補正書】
【提出日】平成23年12月7日(2011.12.7)
【手続補正１】
【補正対象書類名】特許請求の範囲
【補正対象項目名】全文
【補正方法】変更
【補正の内容】
【特許請求の範囲】
【請求項１】
脂環式構造要素と直鎖脂肪族的結合遊離イソシアネート基とを含有するポリイソシアネート混合物の製造方法であって、
Ａ）２．０〜５．０の平均官能価および８．０〜２７．０重量％の（ＮＣＯ分子量＝４２で計算された）直鎖脂肪族的結合イソシアネート基含量を有するポリイソシアネート成分を、
Ｂ）使用する成分Ａ）およびＢ）の総量に基づいて２〜８０重量％の、脂環式ジイソシアネートおよび／またはポリイソシアネートに基づき、イソシアネート基を含有せず、場合によりウレア基を含有してよく、２６０〜８０００ｇ／ｍｏｌの数平均分子量および１．０〜６．０の平均ＯＨ官能価を有する、少なくとも１種のヒドロキシウレタン
と反応させる方法。
【請求項２】
ポリイソシアネート混合物に含有されるイソシアネート基がもっぱら直鎖脂肪族的に結合していることを特徴とする、請求項１に記載の方法。
【請求項３】
請求項１または２に記載の方法により得られるポリイソシアネート混合物。
【請求項４】
含有されるイソシアネート基が部分的にまたは完全にブロックされていることを特徴とする、請求項３に記載のポリイソシアネート混合物。
【請求項５】
ポリウレタンプラスチック、塗膜または接着層の製造における、請求項３または４に記載のポリイソシアネート混合物の使用。
【請求項６】
請求項３または４に記載のポリイソシアネート混合物を用いて得られる塗料。
【手続補正２】
【補正対象書類名】明細書
【補正対象項目名】００５１
【補正方法】変更
【補正の内容】
【００５１】
従って、本発明は更に、本発明のポリイソシアネート混合物を含んでなる塗料、該塗料で被覆された基材を提供する。
本発明の好ましい態様は、以下を包含する。
〔１〕脂環式構造要素と直鎖脂肪族的結合遊離イソシアネート基とを含有するポリイソシアネート混合物の製造方法であって、
Ａ）２．０〜５．０の平均官能価および８．０〜２７．０重量％の（ＮＣＯ分子量＝４２で計算された）直鎖脂肪族的結合イソシアネート基含量を有するポリイソシアネート成分を、
Ｂ）使用する成分Ａ）およびＢ）の総量に基づいて２〜８０重量％の、脂環式ジイソシアネートおよび／またはポリイソシアネートに基づき、イソシアネート基を含有せず、場合によりウレア基を含有してよく、２６０〜８０００ｇ／ｍｏｌの数平均分子量および１．０〜６．０の平均ＯＨ官能価を有する、少なくとも１種のヒドロキシウレタン
と反応させる方法。
〔２〕ポリイソシアネート混合物に含有されるイソシアネート基がもっぱら直鎖脂肪族的に結合していることを特徴とする、上記〔１〕に記載の方法。
〔３〕成分Ａ）に、ヘキサメチレンジイソシアネートに基づく、ウレトジオン、イソシアヌレート、アロファネート、ビウレットおよび／またはイミノオキサジアジンジオン構造を有するポリイソシアネートを使用することを特徴とする、上記〔１〕または〔２〕に記載の方法。
〔４〕成分Ｂ）に、２９０〜５０００ｇ／ｍｏｌの平均分子量を有するヒドロキシウレタンを使用することを特徴とする、上記〔１〕〜〔３〕のいずれかに記載の方法。
〔５〕成分Ｂ）に、２．０〜３．２の平均ＯＨ官能価を有するヒドロキシウレタンを使用することを特徴とする、上記〔１〕〜〔４〕のいずれかに記載の方法。
〔６〕成分Ｂ）に使用するヒドロキシウレタンを、イソホロンジイソシアネート、１，３−ジイソシアナト−２（４）−メチルシクロヘキサン、４，４’−ジイソシアナトジシクロヘキシルメタンおよび／または２，４’−ジイソシアナトジシクロヘキシルメタン並びにこれらジイソシアネートに基づくポリイソシアネートからなる群から選択される脂環式イソシアネートを用いて調製することを特徴とする、上記〔１〕〜〔５〕のいずれかに記載の方法。
〔７〕成分Ｂ）に使用するヒドロキシウレタンを、１，３−ブタンジオールおよび１，４−ブタンジオール、１，６−ヘキサンジオール、２，２，４−トリメチル−１，３−ペンタンジオール、１，４−シクロヘキサンジメタノール、２−（メチルアミノ）エタノール、ジエタノールアミン、ｎ−プロパノール、イソプロパノールおよびジブチルアミンからなる群から選択されるイソシアネート反応性化合物を用いて調製することを特徴とする、上記〔１〕〜〔６〕のいずれかに記載の方法。
〔８〕本発明の方法において、成分Ａ）およびＢ）の総量に基づいて６〜５０重量％の量で成分Ｂ）を使用し、このパーセントの数が固形分に基づくことを特徴とする、上記〔１〕〜〔７〕のいずれかに記載の方法。
〔９〕得られるポリイソシアネート混合物の直鎖脂肪族的結合イソシアネート基含量が４．０〜２６．０重量％となり、平均ＮＣＯ官能価が１．９〜８．０となるように、成分Ａ）およびＢ）並びにそれらの互いの反応を構成することを特徴とする、上記〔１〕〜〔８〕のいずれかに記載の方法。
〔１０〕上記〔１〕〜〔９〕のいずれかに記載の方法により得られるポリイソシアネート混合物。
〔１１〕含有されるイソシアネート基が部分的にまたは完全にブロックされていることを特徴とする、上記〔１０〕に記載のポリイソシアネート混合物。
〔１２〕ポリウレタンプラスチック、塗膜または接着層の製造における、上記〔１０〕または〔１１〕に記載のポリイソシアネート混合物の使用。
〔１３〕上記〔１０〕または〔１１〕に記載のポリイソシアネート混合物を用いて得られる塗料。
〔１４〕上記〔１３〕に記載の塗料を用いて得られる塗膜で被覆された基材。
【手続補正書】
【提出日】平成23年12月8日(2011.12.8)
【手続補正１】
【補正対象書類名】明細書
【補正対象項目名】０００７
【補正方法】変更
【補正の内容】
【０００７】
このようにして得られたカルダノール／カルドール混合物は、以下の３つの技術的不都合を有する：
（１）粗ＣＮＳＬからの蒸留による調製は、重合によるカルダノールの一部の損失を含むので、最終的に、留出物中のカルダノールの収率は５０〜６０％にすぎない；
（２）初期には淡黄色であったカルダノール／カルドール混合物が、貯蔵中に変化し、その色が急速に褐変する（これは、カルドールの存在に起因する）；および
（３）カルダノール／カルドール混合物から得られる生成物もまた、貯蔵中に、望ましくない変色を生ずる。
【手続補正２】
【補正対象書類名】明細書
【補正対象項目名】００１８
【補正方法】変更
【補正の内容】
【００１８】
短行程蒸留は以下のように実施し得る。
工程１：（用いたＣＮＳＬに基づいて）２〜５重量％の初留を、１５０〜２００℃の温度および１〜５ｍｍＨｇの圧力で取り出し、その後、２２０〜２６０℃の温度および１〜５ｍｍＨｇの圧力で主留分を取り出す。この主留分（工程１からの留出物）は、粗カルダノールと称される。
工程２：工程１からの留出物をホウ酸（Ｈ３ＢＯ３）と反応させて、存在する二価フェノールを対応するホウ酸エステルに転化させる。工程１からの粗カルダノールとホウ酸とのモル比は、３：０．０７〜３：０．１の比に調整し得る。反応温度は、約１２０℃〜約１５０℃の範囲に調節し得る。反応時間は、３０〜９０分である。反応中に生じた水を、系から連続的に除去し得る。使用するホウ酸の量は、工程１からの粗カルダノール中に存在するカルドールに対する化学量論量である。
工程３：工程２からの混合物を蒸留して、低沸点成分を除去する。比較的高分子量のホウ酸エステルが残留物中に残る。蒸留は、短行程蒸留または常套の分留の条件下、真空中で実施することもできる。
【手続補正３】
【補正対象書類名】明細書
【補正対象項目名】００２１
【補正方法】変更
【補正の内容】
【００２１】
６を超える理論段を有する分留塔を、分留のために使用できる。１つの態様では、頂部、精留部、供給板、ストリッピング部および底部を有する典型的な分留塔を、連続的な分留のために使用する。塔の上端（頂部）でカルダノールを取り出し、塔の下端（底部）でカルドールを取り出す。過熱を回避するため、分留塔頂部での温度範囲１８０〜２１０℃／０．５〜１．５ｍｍＨｇ、かつ塔底部での温度範囲２３０〜２６０℃／１．５〜３ｍｍＨｇで、蒸留を実施する。塔底部における生成物流は、カルドールリッチな留分を含有し、カルダノールおよび酢酸エステルを少量しか含有しない。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
（Ａ）  芳香族ポリカーボネートおよび／または芳香族ポリエステルカーボネート、５０〜９９．４重量部（それぞれ、成分Ａ＋Ｂ＋Ｃの重量部の合計に対する。）、
（Ｂ）  シリコーンゴムまたはシリコーン／アクリレートゴムを含むグラフトポリマー、０．５〜２０重量部（それぞれ、成分Ａ＋Ｂ＋Ｃの重量部の合計に対する。）、
（Ｃ）  ホスフィン酸の塩、０．１〜３０重量部（それぞれ、成分Ａ＋Ｂ＋Ｃの重量部の合計に対する。）
を含有する組成物。
【請求項２】
成分（Ｂ）として、
Ｂ．１  Ｂ．２の１種類以上のビニルモノマー、５〜９５ｗｔ．％、
Ｂ．２  シリコンゴム（Ｂ．２．１）およびシリコーン／アクリレートゴム（Ｂ．２．２）の群から選択される１種類以上のグラフトベース、９５〜５ｗｔ．％
の１種類以上のグラフトポリマーを含有する、請求項１に記載の組成物。
【請求項３】
該グラフトポリマーがシリコーン／アクリレートゴム（Ｂ．２．２）をグラフトベースＢ．２として含む、請求項１または２に記載の組成物。
【請求項４】
成分（Ｃ）として、金属カチオンがＬｉ＋、Ｎａ＋、Ｋ＋、Ｍｇ２＋、Ｃａ２＋、Ｓｒ２＋、Ｂａ２＋、Ａｌ３＋、Ｚｎ２＋、Ｍｎ２＋、Ｆｅ２＋および／またはＦｅ３＋であるホスフィン酸の塩またはその混合物を含有する、請求項１〜３のいずれか一項に記載の組成物。
【請求項５】
ホスフィン酸の塩またはその混合物として、式（ＩＶ）
【化１】
2011506696.tif 000001
〔式中、
Ｍｍ＋  は、周期表の第１主族（アルカリ金属；ｍ＝１）、第２主族（アルカリ土類金属；ｍ＝２）または第３主族（ｍ＝３）または第２、７もしくは８亜族（ｍは１〜６の整数である。）の金属カチオンである。〕
のホスフィン酸の塩を含有する、請求項４に記載の組成物。
【請求項６】
成分（Ｅ）としての添加剤を０〜５０重量部（それぞれ成分Ａ＋Ｂ＋Ｃの重量部の合計１００に対する。）含有する、請求項１〜５のいずれか一項に記載の組成物。
【請求項７】
請求項１〜６のいずれか一項に記載の組成物を含有する成形物品。
【手続補正書】
【提出日】平成23年11月10日(2011.11.10)
【手続補正１】
【補正対象書類名】特許請求の範囲
【補正対象項目名】全文
【補正方法】変更
【補正の内容】
【特許請求の範囲】
【請求項１】
（Ａ）  芳香族ポリカーボネートおよび／または芳香族ポリエステルカーボネート、５８〜９９．６重量部（いずれの場合も、成分Ａ＋Ｂ＋Ｃの重量部の合計に対する。）、
（Ｂ）  バルク、溶液またはバルク−サスペンション重合法で製造されるゴム変性グラフトポリマー、０．５〜１２重量部（いずれの場合も、成分Ａ＋Ｂ＋Ｃの重量部の合計に対する。）、
（Ｃ）  ホスフィン酸の塩、０．１〜３０重量部（いずれの場合も、成分Ａ＋Ｂ＋Ｃの重量部の合計に対する。）
を含有する組成物。
【請求項２】
バルク、溶液またはバルク−サスペンション重合法で製造され、ゴム含量（グラフトポリマー中の成分Ｂ．２の含量に相当する。）が１６〜２５ｗｔ．％であり、Ｂ．１．２の少なくとも１種類のモノマー、グラフトシェルのモノマーに対して２２〜２７ｗｔ．％と、Ｂ．１．１の少なくとも１種類のモノマー、グラフトシェルのモノマーに対して７３〜７８ｗｔ．％と、を含むグラフトシェルを有する成分（Ｂ）のグラフトポリマーを含有する、請求項１に記載の組成物。
【請求項３】
ゴム含量が１７〜１９ｗｔ．％である、請求項２に記載の組成物。
【請求項４】
成分（Ｃ）として、金属カチオンがＬｉ＋、Ｎａ＋、Ｋ＋、Ｍｇ２＋、Ｃａ２＋、Ｓｒ２＋、Ｂａ２＋、Ａｌ３＋、Ｚｎ２＋、Ｍｎ２＋、Ｆｅ２＋および／またはＦｅ３＋であるホスフィン酸の塩またはその混合物を含有する、請求項１〜３のいずれか一項に記載の組成物。
【請求項５】
該塩またはその混合物として、式（ＩＶ）
【化１】
2011506694.tif 000001
〔式中、
Ｍｍ＋  は、周期表の第１主族（アルカリ金属；ｍ＝１）、第２主族（アルカリ土類金属；ｍ＝２）または第３主族（ｍ＝３）または第２、７もしくは８亜族（ｍは１〜６の整数である。）の金属カチオンである。〕
のホスフィン酸を含有する、請求項４に記載の組成物。
【請求項６】
請求項１〜５のいずれか一項に記載の組成物を含有する成形物品。
【手続補正書】
【提出日】平成23年12月1日(2011.12.1)
【手続補正１】
【補正対象書類名】明細書
【補正対象項目名】００４６
【補正方法】変更
【補正の内容】
【００４６】
実施例３（本発明による）
頂上に取り付けられた冷却器および乾燥管、窒素装置、温度計および撹拌装置を有する５リットル４口丸底フラスコに１２００ｇのＨＤＩを投入し、この初期投入を３時間減圧下で脱気し、いずれの場合にもＮ２でブランケットした。２４００ｇの軽質ベンゼン（沸点８０〜９５℃）を流し込み、該投入を６０℃に加熱した。強撹拌を、希釈剤中のイソシアネート成分の微細な分割（分散）を行うために４００ｒｐｍで行った。６０℃の温度で開始の際、該二相反応混合物を、約６０分間にわたる２７ｇの触媒溶液（トリメチルベンジルアンモニウム水酸化物、２−エチルヘキサノール／２−エチル−１，３−ヘキサンジオール中に０．５％強度）の部分添加により反応させた。温度を６０〜６５℃で穏やかな冷却により温水浴を用いて維持した。顕著な発熱は観測されなかった。７０分の反応時間の間、反応混合物は、極めて高い流動性のため、易撹拌性を保った。１３．７％のＮＣＯ含量が混合物全体について達した際、反応混合物を５．５ｇのＨＤＩ中のジブチルホスフェートの２重量％強度溶液の添加により停止し、次いで３０分間撹拌した。相分離に次いで、軽質ベンゼン相を分離し、まず、軽質ベンゼンで飽和したポリイソシアネート相から低ボイラーを８０℃／１０ｍｂａｒで除去し、この後、粗製トリマーを薄膜蒸留によって仕上げを行う。これにより以下の特性を有するポリイソシアネートを得る：
ＮＣＯ含量：１９．９％
粘度：４３００ｍＰａｓ
遊離ＨＤＩ含量：＜０．０３％（ＧＣ分析）
本発明の好ましい態様は、以下を包含する。
［１］１．０重量％未満の残留モノマーイソシアネート含量を有するポリイソシアネートの製造方法であって、
Ａ）少なくとも６０重量％の１以上のジイソシアネートおよび４０重量％以下の１以上のモノイソシアネートおよび／または官能価≧３を有する１以上のイソシアネートから構成されるイソシアネート成分と、
Ｂ）必要に応じて、触媒Ｂ１）および／または必要に応じて反応性成分Ｂ２）とを、
液滴の形態で、希釈剤Ｃ）中において、０〜２００℃の温度でオリゴマー化を伴って反応させ、次いで、相分離を行い、相分離前、相分離中または相分離後に前記反応を必要に応じて触媒毒Ｄ）の添加により中断し、次いでイソシアネート相中に存在するポリイソシアネートから過剰なモノマーを除去することを特徴とする、前記方法。
［２］成分Ａ）として、専らＨＤＩ、ＩＰＤＩ、２，４’−および／または４，４’−ジイソシアナトジシクロヘキシルメタンのみを用いることを特徴とする、［１］に記載の方法。
［３］希釈剤Ｃ）として、必要に応じてフッ素化またはパーフッ素化されたアルカンを用いることを特徴とする、［１］または［２］に記載の方法。
［４］パーフルオロオクタンを、アルカンとしてＣ）に用いることを特徴とする、［３］に記載の方法。
［５］イソシアネート成分Ａ）と希釈剤Ｃ）との重量比を１：１０〜１：１に設定することを特徴とする、［１］〜［４］のいずれかに記載の方法。
［６］前記重量比は１：５〜１：２であることを特徴とする、［５］に記載の方法。
［７］前記反応を連続的に行うことを特徴とする、［１］〜［６］のいずれかに記載の方法。
【手続補正２】
【補正対象書類名】特許請求の範囲
【補正対象項目名】全文
【補正方法】変更
【補正の内容】
【特許請求の範囲】
【請求項１】
１．０重量％未満の残留モノマーイソシアネート含量を有するポリイソシアネートの製造方法であって、
Ａ）少なくとも６０重量％の１以上のジイソシアネートおよび４０重量％以下の１以上のモノイソシアネートおよび／または官能価≧３を有する１以上のイソシアネートから構成されるイソシアネート成分と、
Ｂ）必要に応じて、触媒Ｂ１）および／または必要に応じて反応性成分Ｂ２）とを、
液滴の形態で、希釈剤Ｃ）中において、０〜２００℃の温度でオリゴマー化を伴って反応させ、次いで、相分離を行い、相分離前、相分離中または相分離後に前記反応を必要に応じて触媒毒Ｄ）の添加により中断し、次いでイソシアネート相中に存在するポリイソシアネートから過剰なモノマーを除去することを特徴とする、前記方法。
【請求項２】
成分Ａ）として、専らＨＤＩ、ＩＰＤＩ、２，４’−および／または４，４’−ジイソシアナトジシクロヘキシルメタンのみを用いることを特徴とする、請求項１に記載の方法。
【請求項３】
希釈剤Ｃ）として、必要に応じてフッ素化またはパーフッ素化されたアルカンを用いることを特徴とする、請求項１または２に記載の方法。
【請求項４】
イソシアネート成分Ａ）と希釈剤Ｃ）との重量比を１：１０〜１：１に設定することを特徴とする、請求項１〜３のいずれかに記載の方法。
【請求項５】
前記反応を連続的に行うことを特徴とする、請求項１〜４のいずれかに記載の方法。